(57)【要約】【課題】過去の移動状態を参酌して現在の移動状態を評価し、その評価結果に基づいて移動状態関連情報を報知する移動状態関連情報報知装置を提供すること。【解決手段】使用者が任意に選択したポイント地点（例えば３ｋｍ、７ｋｍ、１５ｋｍ）のスプリットタイム等を予め記憶しておき、同一ルートをその使用者又は他の使用者が走行する場合、そのポイント地点で例えば自動的にスプリットタイム等を取得し、その現在のスプリットタイム等と予め記憶されている過去のスプリットタイム等に基づいて、次の走行についての有効なアドバイスを行うものである。【選択図】図１０
2010197344.tif 000002
【特許請求の範囲】
【請求項１】
装置本体、記憶部及び報知部を備えている移動状態関連情報報知装置において、
前記装置本体の位置情報を受信する位置情報受信手段と、
所定時期からの経過時間又は現在時刻を計時する計時手段と、
ルート記憶処理モード及びナビゲート処理モードのいずれかを選択するために使用者によって操作される操作手段と、
前記ルート記憶処理モードにおいて、任意のルート上で使用者が移動する際に複数のポイント地点で、前記計時手段によって計時されている経過時間又は現在時刻を表す時間情報と、前記位置情報受信手段によって受信される位置情報とを前記記憶部に記憶させる第１の制御手段と、
前記ナビゲート処理モードにおいて、前記ルートと同じルート上で使用者が移動した際に、前記位置情報受信手段で受信した位置情報に基づいて使用者が前記ポイント地点に到達したか否か判定し、各ポイント地点に到達する毎に、前記前記計時手段によって計時されている現在の時間情報を取得し、この現在の時間情報と、前記記憶部に記憶されている同一ポイント地点における過去の時間情報とに基づいて、現在の移動状態を評価し、その評価結果に基づく移動状態関連情報を前記報知部から報知させる第２の制御手段と、
を備えることを特徴とする移動状態関連情報報知装置。
【請求項２】
前記ルート記憶処理モードのもとで使用者によって操作される第２の操作手段を備え、
前記第１の制御手段は、前記第２の操作手段が操作された時にだけ、前記複数のポイント地点で前記計時手段によって計時されている時間情報と、前記位置情報受信手段によって受信された位置情報とを前記記憶部に記憶させることを特徴とする請求項１に記載の移動状態関連情報報知装置。
【請求項３】
前記ナビゲート処理モードのもとで使用者によって操作される第３の操作手段を備え、
前記第２の制御手段は、前記第３の操作手段が操作された時にだけ、前記複数のポイント地点で前記前記計時手段によって計時されている時間情報を取得することを特徴とする請求項１又は２に記載の移動状態関連情報報知装置。
【請求項４】
前記移動状態は、前記複数のポイント地点の一つであるスタート地点から他のポイント地点までのスプリットタイムによって定められることを特徴とする請求項１から３いずれか一に記載の移動状態関連情報報知装置。
【請求項５】
前記移動状態は、隣り合う二つの前記ポイント地点間のラップタイムによって定められることを特徴とする請求項１から３いずれか一に記載の移動状態関連情報報知装置。
【請求項６】
前記第２の制御手段は、前記移動状態関連情報の他に、前記複数のポイント地点の一つであるスタート地点から他のポイント地点までのスプリットタイム、及び／又は隣り合う二つの前記ポイント地点間のラップタイムを前記報知部から報知させることを特徴とする請求項１から５いずれか一に記載の移動状態関連情報報知装置。
【請求項７】
前記位置情報受信手段は隣り合うポイント地点間においても逐次に位置情報をも受信し、
前記第１の制御手段は、前記位置情報受信手段が受信した位置情報を逐次に前記記憶部に記憶させ、
前記第２の制御手段は、前記移動状態関連情報の他に、前記記憶部に記憶された位置情報に基づいてコース情報を前記報知部から報知させることを特徴とする請求項１から６いずれか一に記載の移動状態関連情報報知装置。 
【発明の詳細な説明】
【技術分野】
【０００１】
本発明は、現在の移動状態を評価して有効な移動状態関連情報を報知する移動状態関連情報報知装置に関するものである。
【背景技術】
【０００２】
従来、移動状態関連情報報知装置として、マラソンなどの競技において使用され、スタート地点から任意の地点を通過するまでに要した時間（「スプリットタイム」と称す。）や、任意の区間の走行に要した時間（「ラップタイム」と称す。）を計測して表示するストップウォッチ装置、或いは、このような機能を備えた腕装着型装置としての電子時計が知られている。
【０００３】
また、移動状態関連情報報知装置の一例としてのストップウォッチ装置において、ユーザがトータルの目標時間を入力することで、ユーザに合った区間毎の目標ラップタイムを自動的に求めて、ユーザにそれを表示する機能の提案もなされている（例えば、特許文献１）。
【先行技術文献】
【特許文献】
【０００４】
【特許文献１】特開平９−６１５５８号公報
【発明の概要】
【発明が解決しようとする課題】
【０００５】
上述のような移動状態関連情報報知装置を使用する場合にあっては、現在の移動状態を途中で確認できはするものの、過去に同じルートを走行した際の移動状態と現在の移動状態とを比較しながら走行することが難しい。
例えば、過去に理想的な走行ペースを保って走行した場合、その走行ペースと同じ走行ペースでもって走行したいときもある。このような場合、上記移動状態関連情報報知装置を使用する者は、過去の理想的な走行ペースを頭の中に記憶しておくか筆記具で紙等に記録しておき、その頭の中に記憶しておいた又は紙等に記録しておいた走行ペースと、現在の走行ペースとを比較するしかなかった。
このような問題は、マラソンなどの競技の場合に限らず、旅行、ウォーキング等する場合にも、また自転車、自動車、飛行機などの移動体で移動する場合にも生じる。例えば、過去旅行において所定ルートで名所巡りをした場合、今回も過去におけると同じ移動ペースを保って同一ルートで名所巡りをしたい場合もある。このようなとき上記問題が生じる。
【０００６】
この発明は、このような問題点を解決するためになされたもので、現在の移動ペース等の移動状態を過去の移動状態を参酌して評価して、その評価結果に基づく移動状態関連情報を報知する移動状態関連情報報知装置を提供することを目的とする。
【課題を解決するための手段】
【０００７】
請求項１に記載の発明は、
装置本体、記憶部及び報知部を備えている移動状態関連情報報知装置において、
前記装置本体の位置情報を受信する位置情報受信手段と、
所定時期からの経過時間又は現在時刻を計時する計時手段と、
ルート記憶処理モード及びナビゲート処理モードのいずれかを選択するために使用者によって操作される操作手段と、
前記ルート記憶処理モードにおいて、任意のルート上で使用者が移動する際に複数のポイント地点で、前記計時手段によって計時されている経過時間又は現在時刻を表す時間情報と、前記位置情報受信手段によって受信される位置情報とを前記記憶部に記憶させる第１の制御手段と、
前記ナビゲート処理モードにおいて、前記ルートと同じルート上で使用者が移動した際に、前記位置情報受信手段で受信した位置情報に基づいて使用者が前記ポイント地点に到達したか否か判定し、各ポイント地点に到達する毎に、前記前記計時手段によって計時されている現在の時間情報を取得し、この現在の時間情報と、前記記憶部に記憶されている同一ポイント地点における過去の時間情報とに基づいて、現在の移動状態を評価し、その評価結果に基づく移動状態関連情報を前記報知部から報知させる第２の制御手段と、
を備えることを特徴とする移動状態関連情報報知装置である。
ここで、「移動状態関連情報の報知」は、音声であってもよいが、音声と画面による表示との双方又は画面による表示のみであってもよい。
また、ここでの「移動状態関連情報」には、現在の移動状態に対するコメント情報及び／又は次の移動状態に対するアドバイス情報等が含まれる。前者の例としては、例えば、現在の移動ペースに対して「遅れています」、「速すぎます」、「いい調子です」等の情報、後者の例としては、「もう少し速く」、「もう少しゆっくり」、「急げ」、「次の区間は１キロ３分ペースで」、「腕を大きく振れ」等の情報が考えられる。
【０００８】
請求項２に記載の発明は、請求項１に記載の移動状態関連情報報知装置において、
前記ルート記憶処理モードのもとで使用者によって操作される第２の操作手段を備え、
前記第１の制御手段は、前記第２の操作手段が操作された時にだけ、前記複数のポイント地点で前記計時手段によって計時されている時間情報と、前記位置情報受信手段によって受信された位置情報とを前記記憶部に記憶させることを特徴とする。
【０００９】
請求項３に記載の発明は、請求項１又は２に記載の移動状態関連情報報知装置において、
前記ナビゲート処理モードのもとで使用者によって操作される第３の操作手段を備え、
前記第２の制御手段は、前記第３の操作手段が操作された時にだけ、前記複数のポイント地点で前記前記計時手段によって計時されている時間情報を取得することを特徴とする。
【００１０】
請求項４に記載の発明は、請求項１から３いずれか一に記載の移動状態関連情報報知装置において、
前記移動状態は、前記複数のポイント地点の一つであるスタート地点から他のポイント地点までのスプリットタイムによって定められることを特徴とする。
【００１１】
請求項５に記載の発明は、  請求項１から３いずれか一に記載の移動状態関連情報報知装置において、
前記移動状態は、隣り合う二つの前記ポイント地点間のラップタイムによって定められることを特徴とする。
【００１２】
請求項６に記載の発明は、請求項１から５いずれか一に記載の移動状態関連情報報知装置において、  前記第２の制御手段は、前記移動状態関連情報の他に、前記複数のポイント地点の一つであるスタート地点から他のポイント地点までのスプリットタイム、及び／又は隣り合う二つの前記ポイント地点間のラップタイムを前記報知部から報知させることを特徴とする。
【００１３】
請求項７に記載の発明は、請求項１から６いずれか一に記載の移動状態関連情報報知装置において、
前記位置情報受信手段は隣り合うポイント地点間においても逐次に位置情報をも受信し、
前記第１の制御手段は、前記位置情報受信手段が受信した位置情報を逐次に前記記憶部に記憶させ、
前記第２の制御手段は、前記移動状態関連情報の他に、前記記憶部に記憶された位置情報に基づいてコース情報を前記報知部から報知させることを特徴とする。
ここでの「コース情報」とはコースそのものについての情報である。この例としては、「これから右折」との情報や、「これから北東に移動」との情報が考えられる。
【発明の効果】
【００１４】
請求項１から７に記載の発明によれば、ルート記憶処理モードのもとで使用者が移動する際にポイント地点の位置情報と当該ポイント地点での時間情報とを記憶した後、ナビゲート処理モードのもとで使用者が同一ルートを移動すると、同じ複数のポイント地点を通過する都度、通過した複数のポイント地点での時間情報を取得し、この時間情報と予め記憶されている時間情報とに基づいて現在の移動状態を評価し、その評価結果に基づく移動状態関連情報をその都度報知することができる。
したがって、現在の移動状態を過去の移動状態を参酌して評価して移動状態を変更したい場合などに、使用者が過去の移動状態をいちいち記憶しておく必要がない。
【図面の簡単な説明】
【００１５】
【図１】本発明の第１実施形態の移動状態関連情報報知装置の一例である電子時計の内部構成を示すブロック図である。
【図２】図１の電子時計の外観を示す正面図である。
【図３】図１の電子時計の別の表示態様を説明するための正面図である。
【図４】ＣＰＵにより実行されるメイン制御処理の処理手順を示すフローチャートである。
【図５】図４のステップ４のルート記憶処理の手順を示すフローチャートである。
【図６】ルート記憶処理でメモリフォーマットに記憶される時場情報の内容を示す図である。
【図７】図４のステップ７のナビゲート処理の手順を示すフローチャートである。
【図８】ナビゲート処理モードで使用されるワークエリアに読み出された時場情報等を示す図である。
【図９】第１実施形態の電子時計が使用されるルートの一例を説明するための図である。
【図１０】第１実施形態の電子時計が使用された際の時場情報の一例を説明するための図である。
【図１１】本発明の第２実施形態の移動状態関連情報報知装置の一例である電子時計の内部構成を示すブロック図である。
【図１２】第２実施形態の電子時計のナビゲート処理の手順を示すフローチャートである。
【図１３】第２実施形態の電子時計が使用された際の時場情報の一例を説明するための図である。
【図１４】第３実施形態のルート記憶処理の手順を示すフローチャートである。
【図１５】第３実施形態の電子時計が使用された際の時場情報の一例を説明するための図である。
【発明を実施するための形態】
【００１６】
以下、本発明の実施の形態を図面に基づいて説明する。
【００１７】
［第１実施形態］
図１は、本発明の第１実施形態の移動状態関連情報報知装置の一例である電子時計の内部構成を示すブロック図、図２は、この電子時計の外観を示す正面図である。
【００１８】
第１実施形態の電子時計１は、例えば長中距離競技者等により使用される腕時計型の電子時計である。この電子時計の内部には、装置の全体的な制御を行うＣＰＵ（Central Processing Unit）１０と、ＣＰＵ１０により実行される制御プログラムやデータ等が格納されるＲＯＭ（Read Only Memory）１３と、ＣＰＵ１０に作業用のメモリ空間を提供するＲＡＭ（Random Access Memory）１４と、これらの間でデータを伝送するバス１７と、時間表示や計測表示等の種々の表示を行う液晶パネルなどの表示部（報知部）１２と、表示部１２を駆動する表示駆動回路１１と、複数のスイッチＳＷ１からＳＷ６等を有しユーザ操作によって信号入力を行う操作手段１８と、計時を行うための計時回路（計時手段）１５及び発振回路１６と、装置本体の位置情報を受信するＧＰＳ受信部（位置情報受信手段）１９とが設けられている。
【００１９】
このうち計時回路１５には、例えば、年月日時分秒などの現在時刻を計時するための日時カウンタ１５ａが設けられている。そして、この計時回路１５は、ＣＰＵ１０の制御と発振回路１６から供給される発振信号とに基づきカウンタにより計時動作を行うようになっている。
【００２０】
次に、電子時計１の外観について説明すれば、この電子時計１は、図２に示すように、上記表示部１２が風防ガラスに覆われて表面側に露出されているとともに、表面側の上側と下側とに操作ボタンＢ１と操作ボタンＢ２が設けられている。また、側面部に操作ボタンＢ３からＢ５が設けられている。これらの操作ボタンＢ１からＢ５は、上記操作部１８のスイッチＳＷ１からＳＷ５をオン・オフする操作手段を構成するものである。
【００２１】
このうち表示部１２は、特に制限されるものではないが、例えば、上中下３段の表示領域１２ａ，１２ｂ，１２ｃに分割されている。そして、時計モードの場合には、図２に示すように、表示領域１２ａに西暦年及び月日が、表示領域１２ｃに時分秒が表示されるようになっている。また、ナビゲーションモードの場合には、図３に示すように、表示部１２ａに緯度及び経度が、表示領域１２ｂに移動状態関連情報が、表示領域１２ｃにスプリットタイム又はラップタイムを示す時分秒が表示されるようになっている。
【００２２】
次に、上記構成の電子時計１の動作説明を行う。
【００２３】
図４には、ＣＰＵ１０と制御プログラムとの共働により実行されるメイン制御処理のフローチャートが示されている。
この実施形態の電子時計１においては、電源投入時からこのメイン制御処理が開始される。そして、ＣＰＵ１０は、計時モードスイッチＳＷ１がＯＮされた場合（ステップ１でＹＥＳの場合）に計時回路１５に公知の計時処理を開始させる（ステップ２）。この計時処理は一旦開始されると継続される。一方、ＣＰＵ１０は、計時モードスイッチＳＷ１がＯＮされない場合（ステップ１でＮＯの場合）には計時モードスイッチＳＷ１がＯＮされるまで待機する。
ＣＰＵ１０は、計時処理の開始後、ルート記憶モードスイッチＳＷ２がＯＮされた場合（ステップ３でＹＥＳの場合）にはルート記憶処理を実行し（ステップ４）、その後に、ステップ３に戻り、ステップ３からの処理を実行する。ルート記憶処理の詳細については後述する。
ＣＰＵ１０は、ルート記憶モードスイッチＳＷ２がＯＮされない場合（ステップ３でＮＯの場合）にはナビゲートモードスイッチＳＷ３がＯＮされたか否かを判断し（ステップ５）、ナビゲートモードスイッチＳＷ３がＯＮされない場合（ステップ５でＮＯの場合）にはステップ３に戻り、ステップ３からの処理を実行する。一方、ＣＰＵ１０は、ナビゲートモードスイッチＳＷ３がＯＮされた場合（ステップ５でＹＥＳの場合）にはルート記憶が存在するか否かを判断し（ステップ６）、ルート記憶が存在しない場合（ステップ６でＮＯの場合）にはステップ３に戻り、ステップ３からの処理を実行する。ここに「ルート記憶が存在する」とは、以前にルート記憶処理が行われ電子時計１に記憶されている時場情報が消去されないで存在する場合をいう。
また、ＣＰＵ１０は、ルート記憶が存在する場合（ステップ６でＹＥＳの場合）にはナビゲート処理を実行し（ステップ７）、その後に。ステップ３に戻り、ステップ３からの処理を実行する。ナビゲート処理の詳細については後述する。
以上、メイン制御処理の一例を示したが、メイン制御処理はこれに限定されるものではない。
【００２４】
続いて、上記メイン制御処理のステップ４で実行されるルート記憶処理を図５に示すフローチャートに基づいて説明する。
このルート記憶処理においては、ＣＰＵ１０は、使用すべきＲＡＭ１４のワークエリアをイニシャライズする（ステップ１１）。その後、ＣＰＵ１０は、マーカスイッチＳＷ４がＯＮされる毎にポイント地点ＰＮの時場情報を取得し（ステップ１２）、ＲＡＭ１４のワークエリアにあるメモリフォーマットにその時場情報を記憶させる（ステップ１３）。ＣＰＵ１０は、このステップ１２及びＳ１３の処理をエンドスイッチＳＷ５がＯＮされるまで繰り返す（ステップ１４）。そして、ＣＰＵ１０は、エンドスイッチＳＷ５がＯＮされた場合にはエンド処理（ステップ１５）の後にメイン制御処理のステップ３に戻り、ステップ３からの処理を実行する。
なお、ここで「時場情報」とは、ここでは時間情報及び位置情報である。
【００２５】
このようにして作成されたメモリフォーマットの内容が図６に示されている。作成されたメモリフォーマットには、例えばルート番号と作成年月日等のヘッダが自動的に付される。
同図において、左端の縦に並んだ０，１，２，・・・，Ｎ，・・・，Ｅの番号及び文字はデータ番号（アドレス）であり、各データ番号の記憶領域に記憶されたデータは、スタート地点（ポイント地点Ｐ０）からゴール地点（ポイント地点ＰＥ）までの各ポイント地点の時場データ（時場情報）である。
すなわち、データ番号Ｎ（Ｎは０からＥの整数）の記憶領域にはポイント地点ＰＮの緯度ＸＮ、経度ＹＮ、時刻ＴＮが記憶されている。具体的には、データ番号０の記憶領域にはスタート地点（ポイント地点Ｐ０）の緯度Ｘ０、経度Ｙ０、時刻Ｔ０が記憶され、データ番号Ｅの記憶領域にはゴール地点（ポイント地点ＰＥ）の緯度ＸＥ、経度ＹＥ、時刻ＴＥが記憶されている。
【００２６】
続いて、上記メイン制御処理のステップ７で実行されるナビゲート処理を図７に示すフローチャートに基づいて説明する。
このナビゲート処理においては、ＣＰＵ１０は、使用すべきＲＡＭ１４のワークエリアをイニシャライズする（ステップ２１）。その後、ＣＰＵ１０は、図示しない選択スイッチによるルート番号（メモリフォーマットのヘッダに付されたルート番号）の選択がされた場合（ステップ２２でＹＥＳの場合）選択されたルート番号のメモリフォーマットに記憶されている時場情報（内容）をＲＡＭ１４の比較用ワークエリアの比較用フォーマットに読み出す（ステップ２３）。
【００２７】
次に、ＣＰＵ１０は、ナビゲートスタートスイッチＳＷ５がＯＮされたか否かを判断する（ステップ２４）。ＣＰＵ１０は、ナビゲートスタートスイッチがＯＮされない場合（ステップ２４でＮＯの場合）にはナビゲートスタートスイッチがＯＮされるまで待機する。一方、ナビゲートスタートスイッチＳＷ５がＯＮされた場合（ステップ２４でＹＥＳの場合）には、ＣＰＵ１０は、現在の位置情報（緯度ｘ及び経度ｙ）と、比較用ワークエリアに読み出された時場情報のデータ番号０に記憶されている緯度Ｘ０及び経度Ｙ０とが合致するか否か、つまりスタート地点（ポイント地点Ｐ０）に使用者が達したか否かを判断する（ステップ２５）。そして、スタート地点（ポイント地点Ｐ０）に使用者が達していない場合（ステップ２５でＮＯの場合）にはＣＰＵ１０はスタート地点（ポイント地点Ｐ０）に使用者が達するまで待機する。一方、スタート地点（ポイント地点Ｐ０）に使用者が達した場合（ステップ２５でＹＥＳの場合）にはＣＰＵ１０はその時の時刻ｔ０を記憶させる（ステップ２６）。
【００２８】
以下、同様に、ＣＰＵ１０は、使用者が各ポイント地点ＰＮ（Ｎは１からＥまでの整数）に達する毎に、各ポイント地点ＰＮに達した時刻ｔＮを記憶させる（（ステップ２７，２８）。なお、各ポイント地点ＰＮに達しない場合（ステップ２７でＮＯの場合）にはＣＰＵ１０はポイント地点ＰＮに達したか否かの監視を続行する。
【００２９】
このようにしてｔＮが取得されたならば、ＣＰＵ１０は、前回のスタート地点Ｐ０からポイント地点ＰＮまでの所要時間（前回スプリットタイム（ＴＮ−Ｔ０））から今回のスタート地点Ｐ０からポイントＰＮまでの所要時間（現在スプリットタイム（ｔＮ−ｔ０）を減算して減算値Ａを算出する（ステップ２９）。
【００３０】
そして、ＣＰＵ１０は、減算値Ａが−３０秒≦Ａ≦＋３０秒の範囲にあるときは「その調子」の表示（ステップ３０）、Ａ＜−３０秒の範囲にあるときは「もっと速く」の表示（ステップ３１）、Ａ＞３０秒の範囲にあるときは「もっとゆっくり」の表示（ステップ３２）をさせる。
【００３１】
以上のような処理を使用者がゴール地点（ポイント地点ＰＥ）に達するまで繰り返す（ステップ３３）。そして、ナビゲート処理が終了する。ナビゲート処理が終了すると、ＣＰＵ１０はメイン制御処理のステップ３の処理に戻り、ステップ３からの処理を実行する。
【００３２】
図８には、ナビゲート処理の際に作成される比較用フォーマットが示されている。ここで、ｔＮはナビゲート処理モードのもとでのポイント地点ＰＮの到達時刻である。
【００３３】
次に、図９及び図１０に基づいて、本実施形態の電子時計１の使用の具体例をその動作とともに説明する。
例えば、図９のようなルートで（すなわちスタート地点であるポイントＰ０からポイント地点Ｐ１，Ｐ２，Ｐ３を経由してゴール地点であるポイント地点Ｐ４まで）ランニングを行う場合を考える。この場合、使用者はスタート地点（ポイント地点Ｐ０）でマーカスイッチＳＷ４を押す。すると、電子時計１には、ポイント地点Ｐ０の位置情報（緯度Ｘ０及び経度Ｙ０）と、その時点での時刻（８：００‘００“）とが記憶される。そして、スタート地点Ｐ０からランニングを開始してポイント地点Ｐ１（使用者が任意に決めた位置）でマーカスイッチＳＷ４を押すと、その電子時計１には、その地点の位置情報（緯度Ｘ１及び経度Ｙ１）と、その時点での時刻（８：１５‘３０“）とが記憶される。その後も使用者がルート中の任意のポイント地点Ｐ２，Ｐ３，Ｐ４でマーカスイッチＳＷ４を押すと、その都度、その地点の位置情報（緯度ＸＮ及び経度ＹＮ）と、その時点での時刻ＴＮとが記憶される。
ここまでがルート記憶処理モードである。
【００３４】
そして、次に同じルートでランニングを行う場合、使用者はスタート地点近くでナビゲートスタートスイッチＳＷ５を押す。すると、電子時計１は、前回に記憶されたスタート地点Ｐ０の緯度Ｘ０及び経度Ｙ０と現在地の緯度ｘ及び経度ｙとを比較し、前回に記憶されたスタート地点（ポイント地点Ｐ０）に使用者が到達したか否かを判断する。また、電子時計１は、使用者がスタート地点に到達した時点の時刻（９：１０‘００“）を記憶する。この場合、スタート地点に到達したことを確実に使用者に知らせるため、例えば音声を伴って報知することが好ましい。
【００３５】
スタート地点に到達したならば使用者はランニングを開始することになる。このとき電子時計１は逐次に使用者の位置情報（緯度ｘ及び経度ｙ）を取得する。そして、前回に記憶されたポイント地点Ｐ１の位置情報（緯度Ｘ１及び経度Ｙ１）と今回の位置情報（緯度ｘ及び経度ｙ）に基づいて使用者がポイント地点Ｐ１に到達したかどうかを判断し、ポイント地点Ｐ１に到達したならば、電子時計１は、その時点での時刻ｔ１（９：２７‘００“）を記憶する。
そして、電子時計１は、スタート地点Ｐ０→ポイント地点Ｐ１までの前回のスプリットタイム（１５分３０秒）から現在のスプリットタイムｔ１（１７分００秒）を減算し、その減算値Ａに基づいて今回の移動ペースが適切か否かを判別し、それに応じたアドバイスを表示する。ちみなに、現在の移動ペースは前回のそれよりも１分３０秒も遅いので、電子時計１は、「もっと速く」の表示を行う。この場合、音声を伴って報知してもよい。以下、同様である。
【００３６】
さらに、使用者がランニングを行いポイント地点Ｐ２に達したならば、その電子時計１は、その時点での時刻ｔ２（９：４６‘５２“）を記憶する。
そして、電子時計１は、スタート地点Ｐ０→ポイント地点Ｐ２までの前回のスプリットタイム（３６分４２秒）から現在のスプリットタイム（３６分５２秒）を減算し、その減算値Ａに基づいて現在の移動ペースが適切か否かを判別し、それに応じたアドバイスを表示する。ちみなに、現在の移動ペースは前回のそれよりも１０秒遅い程度なので、電子時計１は、「その調子」の表示を行う。
【００３７】
その後、ポイント地点Ｐ３，Ｐ４についても同じ処理を行うが、ポイント地点Ｐ４はゴール地点でありそれ以上ランニングを継続しないので、ここでは、途中の表示とは異なり、「もっと速く」、「もっとゆっくり」等は最終の評価や次回へのアドバイスとなる。
【００３８】
なお、図１０には今回のポイント地点の経度及び緯度が大文字Ｘ，Ｙではなく小文字ｘ，ｙで示されている。これは今回のポイント地点が前回のポイント地点とは僅かに異なるが、そのずれが許容誤差範囲にある場合にも、ここでは、ポイント地点の通過としてみなしている。許容誤差範囲にある場合をもポイント地点の通過とみなすために、特に、小文字を使用して表示している。
【００３９】
［第２実施形態］
図１１から図１３は第２実施形態の説明図である。
この第２実施形態の電子時計１の外観と第１実施形態のそれとは同じである。また、この第２実施形態の電子時計１によってなされるメイン制御処理及びルート記憶処理も第１実施形態の電子時計１のそれと同じである。したがって、それらの図面及び説明は省略する。
なお、この第２実施形態の電子時計１の説明にあっては、第１実施形態のそれと同じ構成部材やステップについては同一符号を用いるものとする。
【００４０】
この第２実施形態の電子時計１が第１実施形態のそれと異なる点について説明すれば、第１実施形態の電子時計１では、スタート地点（ポイント地点Ｐ０）→各ポイント地点ＰＮまでのスプリットタイムに基づいて移動状態（例えば移動ペース）を評価し移動関連情報の表示を行うようにしたが、第２実施形態の電子時計１では、隣り合うポイント地点間でのラップタイムに基づいて当該区間の移動状態を評価し次の移動に関して有効な情報（移動状態関連情報）の表示を行うようにした点である。
【００４１】
そのため、第２実施形態の電子時計１の制御構成における計時回路１５には、図１１に示すように、年月日時分秒などの現在時刻を計時するための日時カウンタ１５ａの他に、ストップウォッチの機能動作時に所定区間の走行等に要した時間（ラップタイム）を計時する計測時間カウンタ１５ｂが設けられ、計時回路１５は、ＣＰＵ１０の制御と発振回路１６から供給される発振信号とに基づきカウンタにより計時動作を行うようになっている。
【００４２】
また、第２実施形態の電子時計１のナビゲート処理の一部が第１実施形態の電子時計１のそれとは異なっている。以下、この点について説明する。
この第２実施形態の電子時計１で実行されるナビゲート処理が図１２のフローチャートに示されている。このフローチャートにおいてステップ２１からステップ２８までの処理は第１実施形態の電子時計１のものと同じである。
しかし、第２実施形態の電子時計１での処理は第１実施形態のステップ２９の処理とは異なっている。すなわち、第２実施形態の電子時計１にあっては、ＣＰＵ１０は、前回のラップタイムから今回のラップタイムを減算して減算値Ａを算出している（ステップ２９‘）。その他の点は同じである。
【００４３】
これを使用の具体例を示す図１３に基づいて説明すれば、例えば、図９に示すのと同じルートで使用者がランニングを行いポイント地点Ｐ２に達すると、電子時計１は、その時点での時刻ｔ２（９：４６‘５２“）を記憶する。
【００４４】
そして、電子時計１は、スタート地点Ｐ１→ポイント地点Ｐ２までの前回のラップタイム（２１分１２秒）から現在のラップタイム（１９分５２秒）を減算し、その減算値Ａに基づいて今回の移動状態が適切か否かを評価し、それに応じたアドバイスを表示する。ちみなに、今回のラップタイムは前回のそれよりも１分２０秒も速いので、電子時計１は、「もっとゆっくり」の表示を行う。
【００４５】
その後、ポイント地点Ｐ３，Ｐ４についても同じ処理を行うが、ポイント地点Ｐ４はゴール地点でありそれ以上ランニングを継続しないので、「もっと速く」、「もっとゆっくり」等は次回へのアドバイスとなる。
【００４６】
［第３実施形態］
図１４及び図１５は第３実施形態の説明図である。
この第３実施形態の電子時計１の外観及び機能構成と第１実施形態のそれとは同じである。また、この第２実施形態の電子時計１によってなされるメイン制御処理及びナビゲート処理も第１実施形態の電子時計１のそれと同じである。したがって、それらの図面及び説明は省略する。
なお、この第３実施形態の電子時計１の説明にあっては、第１実施形態のそれと同じ構成部材やステップについては同一符号を用いるものとする。
【００４７】
この第３実施形態の電子時計１が第１実施形態のそれと異なる点について説明すれば、第１実施形態の電子時計１では、ルート記憶処理モードにおいて、マーカスイッチＳＷ４がＯＮされる毎にそのポイント地点ＰＮの時場情報を記憶させるようにしたが、第３実施形態の電子時計１では、図１４のフローチャートに示すように、スタート地点（ポイント地点Ｐ０）でマーカスイッチＳＷ４をＯＮされた後は、ＣＰＵ１０は、所定時間（例えば３０分）毎に自動的に、また、エンドスイッチＳＷ５がＯＮされた時に時場情報をＲＡＭ１４に記憶させるようになっている点である。
【００４８】
次に、図１５に基づいて、本実施形態の電子時計１の使用の具体例をその動作とともに説明する。
例えば、図９と同じルートで（すなわちスタート地点であるポイントＰ０からポイント地点Ｐ１，Ｐ２，Ｐ３を経由してゴール地点であるポイント地点Ｐ４まで）ランニングを行う場合を考える。この場合、使用者はスタート地点（ポイント地点Ｐ０）でマーカスイッチＳＷ４を押す。すると、電子時計１には、ポイント地点Ｐ０の位置情報（緯度Ｘ０及び経度Ｙ０）と、その時点での時刻（８：００‘００“）とが記憶される。そして、スタート地点Ｐ０からランニングを開始して１時間経過すると、電子時計１には、その時のポイント地点Ｐ１の位置情報（緯度Ｘ１及び経度Ｙ１）と、その時点での時刻（９：００‘００“）とが記憶される。その後もエンドスイッチＳＷ５がＯＮされるまで１時間毎にその地点の位置情報（緯度ＸＮ及び経度ＹＮ）と、その時点での時刻ＴＮとが記憶される。エンドスイッチＳＷ５がＯＮされたならば、そのポイント地点Ｐ４の位置情報（緯度Ｘ４及び経度Ｙ４）と、その時点での時刻Ｔ４とが記憶される
ここまでがルート記憶処理モードであり、ナビゲート処理モードについては第１実施形態と同様である。
【００４９】
以上、本発明の実施形態について説明したが、本発明は、かかる実施形態に限定されるものではない。
例えば、第１実施形態及び第３実施形態の電子時計１においては、時刻からスプリットタイムを求めているが、時刻を用いずに、スタート地点で時計を０：００‘００“にしておき、スタート地点から他のポイント地点までの時間を計時するようにすれば、当該他のポイント地点までのスプリットタイムを簡単に求めることができる。
また、第１実施形態及び第２実施形態の電子時計１においては、ナビゲート処理モードのもと自動的に時刻を取得するようにしたが、ポイント地点での使用者のスイッチ操作によって時刻を取得するようにしてもよい。
さらに、ＧＰＳ受信部１９は、ルート記憶処理モードにおいて、隣り合うポイント地点間においても逐次に位置情報をも受信し、その位置情報を予め記憶部に記憶させておき、ナビゲート処理モードにおいて、移動ペース関連情報の他に、記憶部に予め記憶された位置情報に基づいてコース情報を報知させるようにしてもよい。
さらに、この実施形態では、ナビゲート処理モードにおいて、過去のルートと同じルート上で使用者が移動した際に、受信した位置情報に基づいて使用者がポイント地点に到達したか否か判定し、各ポイント地点に到達する毎に、計時されている現在の時間情報を取得し、この現在の時間情報と記憶されている同一ポイント地点における過去の時間情報とに基づいて、現在の移動ペースを評価し、その評価結果に基づく移動ペース関連情報を報知部から報知させるようにしているが、移動状態として、移動ペースのほかに、各ポイント間の移動時間、移動距離、移動位置などを報知させてもよい。
【符号の説明】
【００５０】
１        電子時計
１０      ＣＰＵ
１２      表示部
１３      ROM
１４      RAM
１５      計時回路
１５ｂ    計測時間カウンタ
１６      発振回路
１８      操作手段
ＳＷ２    ルート記憶モードスイッチ
ＳＷ３    ナビゲートモードスイッチ
ＳＷ４    ナビゲートモードスイッチ
Ｂ１〜Ｂ５  操作ボタン
【図１】
2010197344.tif 000003
【図２】
2010197344.tif 000004
【図３】
2010197344.tif 000005
【図４】
2010197344.tif 000006
【図５】
2010197344.tif 000007
【図６】
2010197344.tif 000008
【図７】
2010197344.tif 000009
【図８】
2010197344.tif 000010
【図９】
2010197344.tif 000011
【図１０】
2010197344.tif 000012
【図１１】
2010197344.tif 000013
【図１２】
2010197344.tif 000014
【図１３】
2010197344.tif 000015
【図１４】
2010197344.tif 000016
【図１５】
2010197344.tif 000017